(57)【特許請求の範囲】
【請求項１】
ネットワークに接続されたＩＤ写真撮影装置と事務局端末と複数のホストマシンとを備え、前記ＩＤ写真撮影装置は、ホストアドレスと被撮影者のＩＤ番号とを読み取る手段と、読み取ったホストアドレスを有するホストマシンに読み取ったＩＤ番号を照会してＩＤ番号に対応するＩＤ情報を受信する手段と、被撮影者を撮影する手段と、撮影した画像データに前記ホストマシンから受信したＩＤ情報を表示した写真を印刷する手段と、撮影した画像データにＩＤ番号を付加して前記ホストマシンに送信する手段とを有し、前記ホストマシンは、データベースを備え、前記ＩＤ写真撮影装置から照会されたＩＤ番号に対応するＩＤ情報を前記データベースから検索して前記ＩＤ写真撮影装置に送信する手段と、前記事務局端末から受信したＩＤ番号または氏名に対応する画像データを前記データベースから検索してＩＤ情報を付加して前記事務局端末に送信する手段とを有し、前記事務局端末は、前記ホストマシンにＩＤ番号または氏名を送信して対応する画像データの送信を依頼する手段と、前記ホストマシンから受信した画像データをＩＤ情報付きで印刷出力する手段とを有することを特徴とする広域デジタルＩＤ撮影システム。
【請求項２】
ネットワークに接続された事務局端末と申請者端末とＩＤ写真撮影装置と複数のホストマシンとを備え、前記事務局端末は、申請者のＩＤ番号とＩＤ情報とを使用するホストマシンに登録する手段と、ＩＤ番号と使用するホストマシンのホストアドレスとを申請者端末に送信する手段と、前記ホストマシンにＩＤ番号または氏名を送信して対応する画像データの送信を依頼する手段と、前記ホストマシンから受信した画像データをＩＤ情報付きで印刷出力する手段とを有し、前記申請者端末は前記事務局端末からホストアドレスとＩＤ番号とを受信して表示する手段を有し、前記ＩＤ写真撮影装置は、前記申請者端末に表示されたホストアドレスとＩＤ番号とを読み取る手段と、読み取ったホストアドレスを有するホストマシンに読み取ったＩＤ番号を照会してＩＤ番号に対応するＩＤ情報を受信する手段と、申請者を撮影する手段と、撮影した画像データに前記ホストマシンから受信したＩＤ情報を表示した写真を印刷する手段と、撮影した画像データにＩＤ番号を付加して前記ホストマシンに送信する手段とを有し、前記ホストマシンは、データベースを備え、前記ＩＤ写真撮影装置から照会されたＩＤ番号に対応するＩＤ情報を前記データベースから検索して前記ＩＤ写真撮影装置に送信する手段と、前記事務局端末から受信したＩＤ番号または氏名に対応する画像データを前記データベースから検索してＩＤ情報を付加して前記事務局端末に送信する手段とを有することを特徴とする広域デジタルＩＤ撮影システム。
【請求項３】
前記申請者端末が表示するＩＤ番号がバーコードであることを特徴とする請求項２記載の広域デジタルＩＤ撮影システム。
【請求項４】
ネットワークに接続されたＩＤ写真撮影装置と事務局端末と複数のホストマシンとを使用する広域デジタルＩＤ撮影方法であって、前記ＩＤ写真撮影装置がホストアドレスと被撮影者のＩＤ番号とを読み取るステップと、前記ＩＤ写真撮影装置が読み取ったホストアドレスを有するホストマシンに読み取ったＩＤ番号を照会するステップと、このホストマシンが前記ＩＤ写真撮影装置から送信されたＩＤ番号に対応するＩＤ情報をデータベースから検索して前記ＩＤ写真撮影装置に送信するステップと、前記ＩＤ写真撮影装置が被撮影者を撮影して撮影した画像データに前記ホストマシンから受信したＩＤ情報を表示した写真を印刷するステップと、前記ＩＤ写真撮影装置が撮影した画像データを前記ホストマシンにＩＤ番号を付加して送信するステップと、前記事務局端末が前記ホストマシンにＩＤ番号または氏名を送信して対応する画像データの送信を依頼するステップと、前記ホストマシンが前記事務局端末から受信したＩＤ番号または氏名に対応する画像データを前記データベースから検索してＩＤ情報を付加して前記事務局端末に送信するステップとを有することを特徴とする広域デジタルＩＤ撮影方法。
【請求項５】
ネットワークに接続された事務局端末と申請者端末とＩＤ写真撮影装置と複数のホストマシンとを使用する広域デジタルＩＤ撮影方法であって、前記事務局端末が申請者のＩＤ番号とＩＤ情報とを使用するホストマシンに登録するステップと、前記事務局端末がＩＤ番号と使用するホストマシンのホストアドレスとを申請者端末に送信するステップと、前記申請者端末が受信したＩＤ番号とホストアドレスとを表示するステップと、前記ＩＤ写真撮影装置が前記申請者端末に表示されたＩＤ番号とホストアドレスとを読み取るステップと、前記ＩＤ写真撮影装置が読み取ったホストアドレスを有するホストマシンに読み取ったＩＤ番号を照会するステップと、このホストマシンが前記ＩＤ写真撮影装置から送信されたＩＤ番号に対応するＩＤ情報をデータベースから検索して前記ＩＤ写真撮影装置に送信するステップと、前記ＩＤ写真撮影装置が申請者を撮影して撮影した画像データに前記ホストマシンから受信したＩＤ情報を表示した写真を印刷するステップと、前記ＩＤ写真撮影装置が撮影した画像データを前記ホストマシンにＩＤ番号を付加して送信するステップと、前記事務局端末が前記ホストマシンにＩＤ番号または氏名を送信して対応する画像データの送信を依頼するステップと、前記ホストマシンが前記事務局端末から受信したＩＤ番号または氏名に対応する画像データを前記データベースから検索してＩＤ情報を付加して前記事務局端末に送信するステップとを有することを特徴とする広域デジタルＩＤ撮影方法。
【請求項６】
前記申請者端末が表示するＩＤ番号がバーコードであることを特徴とする請求項５記載の広域デジタルＩＤ撮影方法。
【請求項７】
ネットワークを介して事務局端末と複数のホストマシンとに接続されたＩＤ写真撮影装置であって、ホストアドレスと被撮影者のＩＤ番号とを読み取る手段と、読み取ったホストアドレスを有するホストマシンに読み取ったＩＤ番号を照会してＩＤ番号に対応するＩＤ情報を受信する手段と、被撮影者を撮影する手段と、撮影した画像データに前記ホストマシンから受信したＩＤ情報を表示した写真を印刷する手段と、撮影した画像データにＩＤ番号を付加して前記ホストマシンに送信する手段とを有することを特徴とするＩＤ写真撮影装置。
【請求項８】
ネットワークを介して申請者端末と事務局端末と複数のホストマシンとに接続されたＩＤ写真撮影装置であって、前記申請者端末に表示されたホストアドレスと申請者のＩＤ番号とを読み取る手段と、読み取ったホストアドレスを有するホストマシンに読み取ったＩＤ番号を照会してＩＤ番号に対応するＩＤ情報を受信する手段と、申請者を撮影する手段と、撮影した画像データに前記ホストマシンから受信したＩＤ情報を表示した写真を印刷する手段と、撮影した画像データにＩＤ番号を付加して前記ホストマシンに送信する手段とを有することを特徴とするＩＤ写真撮影装置。
【発明の詳細な説明】
【０００１】
【発明の属する技術分野】
本発明は広域デジタルＩＤ（identification）撮影システムおよび、広域デジタルＩＤ撮影方法に関し、特に、本人確認用写真撮影を行うための広域デジタルＩＤ撮影システムおよび、広域デジタルＩＤ撮影方法に関する。
【０００２】
【従来の技術】
従来、学校に入学申請を行う方法としては、通常、次のような手順で行っていた。受験者は、まず、本人の顔写真を撮影する。次に、受験願書に必要事項を記入し、受験票の指定箇所に写真を貼り付け、学校に郵送する。学校は、郵送された受験票に受け付け印と受験番号を記載して受験者本人に返送する。受験者は返送された受験票を持って、受験会場に赴き、受験する。写真入りの受験票は、学科試験や面接試験時の本人確認に使用される。受験者が合格してその学校に入学すると、学校側では入学者全員の写真を改めて撮影するか、または、入学者から再提出させて、学生証や学籍簿に貼り付け、学生番号を記載して管理を行う。受験者は、複数の学校を受験する場合は、それぞれの学校に対して受験票への写真貼り付けと郵送とを行う。
【０００３】
入学申請以外でも、検定試験や各種免許証、証明書の本人確認には類似の方法が行われている。
【０００４】
【発明が解決しようとする課題】
上述した従来の方法では、写真を撮影して申請等の用紙に貼り付けて郵送して処置を行っていたため、処理上のやり取りに非常に時間がかかるという問題点があった。申請先が複数に渡る場合は、さらに煩雑になっていた。
【０００５】
また、申請を受け付ける事務局側でも、写真を使用目的に合わせて編集、ＩＤ付加、登録作業を行う必要があり、非常に手間がかかるという問題点があった。
【０００６】
本発明の目的は、申請者にとっても申請を受ける側にとっても本人確認用写真の取り扱いの手間を省くＩＤフォト管理システムおよびＩＤフォト管理方法を提供することにある。
【０００７】
【課題を解決するための手段】
本発明の広域デジタルＩＤ撮影システムは、ネットワークに接続されたＩＤ写真撮影装置と事務局端末と複数のホストマシンとを備え、前記ＩＤ写真撮影装置は、ホストアドレスと被撮影者のＩＤ番号とを読み取る手段と、読み取ったホストアドレスを有するホストマシンに読み取ったＩＤ番号を照会してＩＤ番号に対応するＩＤ情報を受信する手段と、被撮影者を撮影する手段と、撮影した画像データに前記ホストマシンから受信したＩＤ情報を表示した写真を印刷する手段と、撮影した画像データにＩＤ番号を付加して前記ホストマシンに送信する手段とを有し、前記ホストマシンは、データベースを備え、前記ＩＤ写真撮影装置から照会されたＩＤ番号に対応するＩＤ情報を前記データベースから検索して前記ＩＤ写真撮影装置に送信する手段と、前記事務局端末から受信したＩＤ番号または氏名に対応する画像データを前記データベースから検索してＩＤ情報を付加して前記事務局端末に送信する手段とを有し、前記事務局端末は、前記ホストマシンにＩＤ番号または氏名を送信して対応する画像データの送信を依頼する手段と、前記ホストマシンから受信した画像データをＩＤ情報付きで印刷出力する手段とを有することを特徴とする。
【０００８】
本発明の広域デジタルＩＤ撮影システムは、ネットワークに接続された事務局端末と申請者端末とＩＤ写真撮影装置と複数のホストマシンとを備え、前記事務局端末は、申請者のＩＤ番号とＩＤ情報とを使用するホストマシンに登録する手段と、ＩＤ番号と使用するホストマシンのホストアドレスとを申請者端末に送信する手段と、前記ホストマシンにＩＤ番号または氏名を送信して対応する画像データの送信を依頼する手段と、前記ホストマシンから受信した画像データをＩＤ情報付きで印刷出力する手段とを有し、前記申請者端末は前記事務局端末からホストアドレスとＩＤ番号とを受信して表示する手段を有し、前記ＩＤ写真撮影装置は、前記申請者端末に表示されたホストアドレスとＩＤ番号とを読み取る手段と、読み取ったホストアドレスを有するホストマシンに読み取ったＩＤ番号を照会してＩＤ番号に対応するＩＤ情報を受信する手段と、申請者を撮影する手段と、撮影した画像データに前記ホストマシンから受信したＩＤ情報を表示した写真を印刷する手段と、撮影した画像データにＩＤ番号を付加して前記ホストマシンに送信する手段とを有し、前記ホストマシンは、データベースを備え、前記ＩＤ写真撮影装置から照会されたＩＤ番号に対応するＩＤ情報を前記データベースから検索して前記ＩＤ写真撮影装置に送信する手段と、前記事務局端末から受信したＩＤ番号または氏名に対応する画像データを前記データベースから検索してＩＤ情報を付加して前記事務局端末に送信する手段とを有することを特徴としてもよい。
【０００９】
本発明の広域デジタルＩＤ撮影システムは、前記申請者端末が表示するＩＤ番号がバーコードであることを特徴としてもよい。
【００１０】
本発明の広域デジタルＩＤ撮影方法は、ネットワークに接続されたＩＤ写真撮影装置と事務局端末と複数のホストマシンとを使用する広域デジタルＩＤ撮影方法であって、前記ＩＤ写真撮影装置がホストアドレスと被撮影者のＩＤ番号とを読み取るステップと、前記ＩＤ写真撮影装置が読み取ったホストアドレスを有するホストマシンに読み取ったＩＤ番号を照会するステップと、このホストマシンが前記ＩＤ写真撮影装置から送信されたＩＤ番号に対応するＩＤ情報をデータベースから検索して前記ＩＤ写真撮影装置に送信するステップと、前記ＩＤ写真撮影装置が被撮影者を撮影して撮影した画像データに前記ホストマシンから受信したＩＤ情報を表示した写真を印刷するステップと、前記ＩＤ写真撮影装置が撮影した画像データを前記ホストマシンにＩＤ番号を付加して送信するステップと、前記事務局端末が前記ホストマシンにＩＤ番号または氏名を送信して対応する画像データの送信を依頼するステップと、前記ホストマシンが前記事務局端末から受信したＩＤ番号または氏名に対応する画像データを前記データベースから検索してＩＤ情報を付加して前記事務局端末に送信するステップとを有することを特徴とする。
【００１１】
本発明の広域デジタルＩＤ撮影方法は、ネットワークに接続された事務局端末と申請者端末とＩＤ写真撮影装置と複数のホストマシンとを使用する広域デジタルＩＤ撮影方法であって、前記事務局端末が申請者のＩＤ番号とＩＤ情報とを使用するホストマシンに登録するステップと、前記事務局端末がＩＤ番号と使用するホストマシンのホストアドレスとを申請者端末に送信するステップと、前記申請者端末が受信したＩＤ番号とホストアドレスとを表示するステップと、前記ＩＤ写真撮影装置が前記申請者端末に表示されたＩＤ番号とホストアドレスとを読み取るステップと、前記ＩＤ写真撮影装置が読み取ったホストアドレスを有するホストマシンに読み取ったＩＤ番号を照会するステップと、このホストマシンが前記ＩＤ写真撮影装置から送信されたＩＤ番号に対応するＩＤ情報をデータベースから検索して前記ＩＤ写真撮影装置に送信するステップと、前記ＩＤ写真撮影装置が申請者を撮影して撮影した画像データに前記ホストマシンから受信したＩＤ情報を表示した写真を印刷するステップと、前記ＩＤ写真撮影装置が撮影した画像データを前記ホストマシンにＩＤ番号を付加して送信するステップと、前記事務局端末が前記ホストマシンにＩＤ番号または氏名を送信して対応する画像データの送信を依頼するステップと、前記ホストマシンが前記事務局端末から受信したＩＤ番号または氏名に対応する画像データを前記データベースから検索してＩＤ情報を付加して前記事務局端末に送信するステップとを有することを特徴としてもよい。
【００１２】
本発明の広域デジタルＩＤ撮影方法は、前記申請者端末が表示するＩＤ番号がバーコードであることを特徴としてもよい。
【００１３】
本発明のＩＤ写真撮影装置は、ネットワークを介して事務局端末と複数のホストマシンとに接続されたＩＤ写真撮影装置であって、ホストアドレスと被撮影者のＩＤ番号とを読み取る手段と、読み取ったホストアドレスを有するホストマシンに読み取ったＩＤ番号を照会してＩＤ番号に対応するＩＤ情報を受信する手段と、被撮影者を撮影する手段と、撮影した画像データに前記ホストマシンから受信したＩＤ情報を表示した写真を印刷する手段と、撮影した画像データにＩＤ番号を付加して前記ホストマシンに送信する手段とを有することを特徴とする。
【００１４】
本発明のＩＤ写真撮影装置は、ネットワークを介して申請者端末と事務局端末と複数のホストマシンとに接続されたＩＤ写真撮影装置であって、前記申請者端末に表示されたホストアドレスと申請者のＩＤ番号とを読み取る手段と、読み取ったホストアドレスを有するホストマシンに読み取ったＩＤ番号を照会してＩＤ番号に対応するＩＤ情報を受信する手段と、申請者を撮影する手段と、撮影した画像データに前記ホストマシンから受信したＩＤ情報を表示した写真を印刷する手段と、撮影した画像データにＩＤ番号を付加して前記ホストマシンに送信する手段とを有することを特徴としてもよい。
【００１５】
【発明の実施の形態】
次に、本発明の実施の形態について図面を参照して詳細に説明する。図１は本発明の第１の実施の形態の構成を示すブロック図である。
【００１６】
図１を参照すると、第１の実施の形態は、ホストマシン１０ａ、１０ｂ、…とＩＤ写真撮影装置２０と事務局端末４０とこれらを接続するインターネット１００とを含む。
【００１７】
インターネット１００は、インターネット以外のネットワークでもよいが、本実施の形態では代表例としてインターネットであるとする。
【００１８】
ホストマシン１０ａ、１０ｂ、…は、ホストシステム１ａ、１ｂ、…に含まれる情報処理装置であり、その内部または外部に記憶装置１３ａ、１３ｂ、…を有し、記憶装置１３ａ、１３ｂ、…はそれぞれデータベース１５ａ、１５ｂ、…を有する。ホストマシン１０ａ、１０ｂ、…は、さらに、必要に応じて入力装置やプリンタを有する（図示せず）。ホストマシン１０ａ、１０ｂ、…の本実施の形態で必要とする構成は同じであるので、以降はホストマシン１０ａについて記載する。
【００１９】
事務局端末４０は、事務局４が使用するパーソナルコンピュータ等の情報処理装置であり、ホストマシン１０ａに接続されている。図１では事務局端末４０はホストマシン１０ａに直接接続されているが、インターネット１００を介して接続されていてもよい。事務局４とは、例えば学校の入学試験事務局である。事務局端末４０は、その内部または外部にキーボードやマウス等の入力装置４１とＣＲＴ（cathode-ray tube）等のディスプレイ４２とプリンタ４４とデータを一時記憶するための記憶装置（図示せず）とを有する。
【００２０】
ＩＤ写真撮影装置２０は駅やショッピングセンター等の一般の人が利用しやすい場所に設置され、写真撮影装置２１とＩＤ番号読み取り部２５とゲート制御機構２６とを有する。写真撮影装置２１は課金部２２と撮影部２３と写真出力部２４とを有する。ゲート制御機構２６がインターネット１００と接続される。
【００２１】
一般的形態としては、ホストマシンが複数存在し、それぞれのホストマシンに事務局端末が単数または複数接続される。ＩＤ写真撮影装置２０は利便性向上のために数多く設置されることが望ましい。
【００２２】
次に動作について説明する。図２は第１の実施の形態の動作を示すフローチャートである。学校に入学を希望する申請者が顔写真入り受験票を作成する場合について説明する。
【００２３】
申請者は、入学を希望する学校に受験申請する。申請方法としては郵送、電話、インターネット等が可能である。申請を受け付けた学校の事務局４は事務局端末４０で申請者のＩＤ番号を設定する（ステップＡ１）。さらに、このＩＤ番号と事務局端末４０が使用するホストマシン１０ａのマシンアドレスとを記載した受け付け票を作成して申請者に郵送や宅配便等で送付する。受け付け票への記載は磁気的または光学的に読み取り可能なものにしておく。具体例としては磁気コードまたはバーコードが使用できる。事務局端末４０は申請者のＩＤ情報とＩＤ番号とをホストマシン１０ａのデータベース１５ａに登録する（ステップＡ２）。ＩＤ番号は、数字に限定されず、アルファベット等の文字や記号を含むものとする。ＩＤ情報は、ＩＤ番号で検索できる情報であり、氏名、住所、性別、年齢、電話番号、在学または出身学校名等、申請者の個人情報である。
【００２４】
申請者は受け付け票を入手すると、都合の良いときにＩＤ写真撮影装置２０のある場所へ行き、課金部２２に必要な金額を入金する。課金部２２が入金を確認すると（ステップＡ３）、次の処理が可能となる。無料で行う場合はステップＡ３は不要である。
【００２５】
申請者は受け付け票をＩＤ番号読み取り部２５に挿入する。ＩＤ番号読み取り部２５は、挿入された受け付け票の磁気コードまたはバーコードからＩＤ番号とホストアドレスとを読み取り（ステップＡ４）、ゲート制御機構２６に送る。
【００２６】
ゲート制御機構２６は、ホストアドレスをもとにホストマシン１０ａにアクセスし、ＩＤ番号を照会する（ステップＡ５）。
【００２７】
ホストマシン１０ａは、照会を受けたＩＤ番号がデータベース１５ａに登録されているかを検索し（ステップＡ６）、登録されていれば、ＩＤ番号にＩＤ情報を付加してゲート制御機構２６に送信する（ステップＡ７）。
【００２８】
ゲート制御機構２６がＩＤ番号とＩＤ情報とを受信すると、撮影部２３は申請者の顔写真を撮影し（ステップＡ８）、写真出力部２４は写真の出力を行う（ステップＡ９）。このとき、撮影目的に合わせて、ＩＤ番号またはＩＤ情報を出力写真中に表示する。具体的には必要に応じて、「ＩＤ番号＋氏名」あるいは「氏名＋在学または卒業学校名＋年齢」等を表示する。写真出力不要の場合は、ステップＡ９は省略してステップＡ１０以降の処理を行う。
【００２９】
申請者は、ステップＡ９で出力されたＩＤ番号またはＩＤ情報入りの顔写真を、受け付け票に貼り付けることにより受験票として使用することができる。従って、指定日に指定場所へこの受験票を持参して受験することができる。ステップＡ７でホストマシン１０ａから受験票記載データを送信して、ステップＡ９で顔写真入り受験票を印刷出力することも可能である。
【００３０】
撮影された画像データは、システム要件によりＩＤ番号や氏名のファイル名が付加されてゲート制御機構２６に一時的に蓄積される。次に、ホストシステム１ａの登録タイミングにより、蓄積された画像データはホストマシン１０ａに送信され（ステップＡ１０）、データベース１５ａに登録される（ステップＡ１１）。
【００３１】
申請者が入学し、学校側で写真入りの学生証や学籍簿が必要になると、事務局４は、事務局端末４０でホストマシン１０ａに申請者の画像データを要求する（ステップＡ１２）。このときＩＤ番号または氏名を添付して要求する。
【００３２】
要求を受けたホストマシン１０ａは、ＩＤ番号または氏名をもとにデータベース１５ａから申請者の画像データを検索してＩＤ情報を付加して事務局端末４０へ送信する（ステップＡ１３）。
【００３３】
事務局４では、送信された画像データを事務局端末４０のディスプレイ４２に表示して確認作業を行ったり（ステップＡ１４）、プリンタ４４での印刷出力を行う（ステップＡ１５）。たとえば、面接試験時に事務局端末４０に申請者本人の画像とＩＤ情報とを表示して、本人が持参した受験票と共に、二重確認を行うことが可能となる。
【００３４】
本実施の形態によれば、申請者が複数の学校を受験する場合に、それぞれの学校が本発明のシステムを採用していれば、申請者はＩＤ写真撮影装置２０のところへ一度行くだけで複数の学校への処理を行うことができる。
【００３５】
次に、本発明の第２の実施の形態について説明する。図３は第２の実施の形態の構成を示すブロック図である。第２の実施の形態では、図１で説明した第１の実施の形態の構成に加えて、申請者端末６０を含む。申請者端末６０は、申請者６が使用する携帯電話やＰＨＳ等の携帯端末である。申請者端末６０は、インターネット１００に接続され、キーボード等の入力装置６１とＬＣＤ（liquid crystal display）等のディスプレイ６２とデータを一時記憶するための記憶装置（図示せず）を備える。
【００３６】
図４は第２の実施の形態の動作を示すフローチャートである。
【００３７】
申請者は、入学を希望する学校の事務局端末４０に申請者端末６０でアクセスしてＩＤ情報を記載した受験申請を送信する（ステップＢ１）。事務局端末４０は、申請を受け付けると申請者のＩＤ番号を設定して（ステップＢ２）ホストマシン１０ａのデータベース１５ａにＩＤ情報と共に登録し（ステップＢ３）、このＩＤ番号と事務局端末４０が使用するホストマシン１０ａのホストアドレスとをバーコードデータにして申請者端末６０に送信する（ステップＢ４）。
【００３８】
ステップＢ５は、第１の実施の形態のステップＡ３と同じである。
【００３９】
申請者６は、申請者端末６０のディスプレイ６２にＩＤ番号とホストアドレスのバーコードデータを表示させてＩＤ番号読み取り部２５に提示する（ステップＢ６）。ＩＤ番号読み取り部２５は提示されたＩＤ番号とホストアドレスのバーコードデータを読み取る（ステップＢ７）。
【００４０】
ステップＢ８〜ステップＢ１８は第１の実施の形態のステップＡ５〜Ａ１５と同じである。
【００４１】
第２の実施の形態では、第１の実施の形態と比較して、受け付け票送付の煩雑さが解消され、時間短縮も図られる。
【００４２】
【発明の効果】
以上説明したように、本発明によれば、稼働中のシステムへの大きな変更なしで、セキュリティを確保したままユーザ単独でユーザの都合の良いときに身近な装置で本人確認用の写真撮影ができる。また、本発明では、撮影された画像データがホストシステムにも登録されるので、たとえば検定試験や入学申請書で申請が非常に簡便、確実になるだけでなく、本人カードと端末の画像表示で二重確認することで取り違い等のミスを激減する効果がある。
【図面の簡単な説明】
【図１】第１の実施の形態の構成を示すブロック図である。
【図２】第１の実施の形態の動作を示すフローチャートである。
【図３】第２の実施の形態の構成を示すブロック図である。
【図４】第２の実施の形態の動作を示すフローチャートである。
【符号の説明】
１ａ、１ｂ、…    ホストシステム
４    事務局
６    申請者
１０ａ、１０ｂ、…    ホストマシン
１３ａ、１３ｂ、…    記憶装置
１５ａ、１５ｂ、…    データベース
２０    ＩＤ写真撮影装置
２１    写真撮影装置
２２    課金部
２３    撮影部
２４    写真出力部
２５    ＩＤ番号読み取り部
２６    ゲート制御機構
４０    事務局端末
４１    入力装置
４２    ディスプレイ
４４    プリンタ
６０    申請者端末
６１    入力装置
６２    ディスプレイ
１００    インターネット
【図１】
0003687635.tif 000002
【図２】
0003687635.tif 000003
【図３】
0003687635.tif 000004
【図４】
0003687635.tif 000005